【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
フォトルミネセンス消光を用いた情報表示方法であって、
一対の電極の間のフォトルミネセント材料を備えたオプトエレクトロニックディスプレイを設け、
前記フォトルミネセント材料にフォトルミネセンスを生じさせるために前記フォトルミネセント材料に対する照明光を供給し、
前記フォトルミネセンスを少なくとも部分的に消光するために前記電極にバイアスを加えることからなる情報表示方法。
【請求項２】
請求項１に記載の情報表示方法において、
前記フォトルミネセント材料を有機フォトルミネセント材料から構成することを特徴とする情報表示方法。
【請求項３】
請求項２に記載の情報表示方法において、
前記有機フォトルミネセント材料を半導体性のコンジュゲートされた有機ポリマーとすることを特徴とする情報表示方法。
【請求項４】
請求項３に記載の方法において、
前記一対の電極をカソードおよびアノードから構成し、該アノードがカソードより高い仕事関数を持つようにし、前記フォトルミネセント材料を前記一対の電極の間に挟み、前記アノードが前記カソードよりも負の側になるように逆方向バイアスを加えることで前記バイアスを加えることを特徴とする方法。
【請求項５】
請求項４に記載の方法において、
前記フォトルミネセント材料と前記アノードの間に正孔輸送材料をさらに設けることを特徴とする方法。
【請求項６】
請求項１に記載の方法において、
前記電極間の電流の順方向バイアスが加えられたときの導電性が、逆方向バイアスが加えられたときのものよりも大きくなるように前記オプトエレクトロニックディスプレイを設け、前記電極に逆方向バイアスを加えることで前記バイアスを加えることを特徴とする方法。
【請求項７】
請求項１から請求項６のいずれか１項に記載の方法において、
電極のうち少なくとも一つを少なくとも部分的に透明とし、前記少なくとも部分的に透明な電極を通して、前記フォトルミネセンス材料を表示させることを特徴とする方法。
【請求項８】
請求項７に記載の方法において、
前記少なくとも部分的に透明な電極を通して照明光を供給することを特徴とする方法。
【請求項９】
請求項１から請求項８のいずれか１項に記載の方法において、
前記照明光を供給するために、周囲光を用いることを特徴とする方法。
【請求項１０】
請求項２に記載の方法において、
異なるフォトルミネセンスの色を有する材料の混合物から前記フォトルミネセント材料を構成することを特徴とする方法。
【請求項１１】
フォトルミネセント装置を動作させる方法であって、有機フォトルミネセント材料の薄膜の形態とされた半導体層と、前記半導体層の第１表面に隣接する第１の電気的な接続層と、前記半導体層の第２表面に隣接する第２電気的な接続層とから該装置を構成し、前記装置を照明するとともに、前記第２の接続層が前記第１の接続層に対して負になるように前記第１の接続層と第２の接続層との間に前記半導体層を横切る電場を加え、これにより、光学的に励起されたエキシトンを該エキシトンの構成ホールならびに構成電子に分離し、前記フォトルミネセント薄膜の外に前記ホールと前記電子を導くことで前記薄膜からのフォトルミネセンスを抑制する方法。
【請求項１２】
請求項１１に記載の方法において、
有機フォトルミネセント材料の前記薄膜を、正孔輸送層を介して前記第２の接続層に接続することを特徴とする方法。
【請求項１３】
有機フォトルミネセント材料からなる薄膜の形態とされた半導体層と、前記半導体層の第１の表面に隣接する第１の電気的な接続層と、前記半導体層の第２の表面に隣接する第２の電気的な接続層と、
前記材料からのフォトルミネセンスを誘発させるよう前記フォトルミネセント材料を照明するための光源とからなるオプトエレクトロニックディスプレイ装置。
【請求項１４】
フォトルミネセントディスプレイ装置を備え、該フォトルミネセントディスプレイ装置は、該装置に電圧が印加されていない状態での光学的な照明のもとで該ディスプレイがフォトルミネセンスを放射するディスプレイ・オン状態と、前記フォトルミネセンスが少なくとも部分的に消光されるディスプレイ・オフ状態とを有し、さらに、
装置ドライバ回路を備え、該装置ドライバ回路は、ディスプレイ信号を受け取るための入力部と、前記ディスプレイ装置を駆動するための出力部とを有し、前記ディスプレイ信号は、該ディスプレイがオンであるべきことを示すオン状態を有するとともに、該ディスプレイがオフであるべきことを示すオフ状態を有し、
前記フォトルミネセントディスプレイ装置は、
有機フォトルミネセント材料からなる薄膜の形態とされた半導体層と、前記半導体層の第１の表面に隣接する第１の電気的な接続層と、前記半導体層の第２の表面に隣接する第２の電気的な接続層とからなり、このとき、
前記装置ドライバ回路は、前記ディスプレイ信号が前記オフ状態を有していることに反応して、前記第２の接続層が前記第１の接続層に対して負になるように前記第１の接続層と第２の接続層との間に前記半導体層を横切る電場を加え、これにより、光学的に励起されたエキシトンをその構成ホールならびに構成電子に分離し、前記フォトルミネセント薄膜の外に前記ホールと電子を導くことで前記薄膜からのフォトルミネセンスを抑制するように構成され、前記ディスプレイ装置と装置ドライバとの組み合わせが主としてフォトルミネセンス消光により情報を表示するように動作する、
オプトエレクトロニックディスプレイ。
【請求項１５】
請求項１３又は請求項１４に記載のオプトエレクトロニックディスプレイにおいて、
前記有機フォトルミネセント材料の薄膜は、正孔輸送層を介して前記第２の接続層に接続されていることを特徴とするオプトエレクトロニックディスプレイ。
【請求項１６】
請求項１３から請求項１５のいずれか１項に記載のオプトエレクトロニックディスプレイにおいて、
前記有機フォトルミネセント材料は、少なくとも一つのコンジュゲート・ポリマーからなることを特徴とするオプトエレクトロニックディスプレイ。
【請求項１７】
請求項１６に記載のオプトエレクトロニックディスプレイにおいて、
前記有機材料の薄膜は、薄くて密なポリマー薄膜からなり、前記半導体層の前記ポリマー薄膜は、外来性の荷電キャリアの濃度が十分低く、前記第２の接続層が前記第１の接続層に対して正になるように前記第１の接続層と第２の接続層との間に前記半導体層を横切る電場を加えると、前記半導体層内に荷電キャリアが注入され、前記半導体層から放射が放出されるように構成されていることを特徴とするオプトエレクトロニックディスプレイ。
【請求項１８】
請求項１６に記載のオプトエレクトロニックディスプレイにおいて、
前記フォトルミネセンス材料は、前記フォトルミネセンスが略完全に抑制されるとき略無色であるように選択されていることを特徴とするオプトエレクトロニックディスプレイ。
【請求項１９】
請求項１３から請求項１８のいずれか１項に記載のオプトエレクトロニックディスプレイにおいて、
前記第１および第２の接続層の少なくとも一方は、前記フォトルミネセント材料が見えるように、少なくとも部分的に透明とされていることを特徴とするオプトエレクトロニックディスプレイ。
【請求項２０】
請求項１９に記載のオプトエレクトロニックディスプレイにおいて、
前記少なくとも部分的に透明な電極を通して照明されるように構成されていることを特徴とするオプトエレクトロニックディスプレイ。
【請求項２１】
請求項１３に記載のオプトエレクトロニックディスプレイにおいて、
前記第１の接続層と第２の接続層の両方が少なくとも部分的に透明とされ、該ディスプレイが正面から見られる場合に、前記光源が前記フォトルミネセント材料の薄膜の後に置かれていることを特徴とするオプトエレクトロニックディスプレイ。
【請求項２２】
消光されるフォトルミネセンスの原理で動作するオプトエレクトロニックディスプレイであって、
第１の電極と、
第２の電極と、
前記第１の電極と第２の電極との間に配置された目視可能なディスプレイ素子とを備え、該ディスプレイ素子がフォトルミネセント材料を含み、
該フォトルミネセント材料からのフォトルミネセンスを、前記第１の電極と第２の電極との間に電圧を印加することで少なくとも部分的に消光し、これにより、フォトルミネセント放射状態から放射率低減状態へとはっきり変化させて画像ディスプレイを実現するように構成されているオプトエレクトロニックディスプレイ。
【請求項２３】
請求項２２に記載のオプトエレクトロニックディスプレイにおいて、
前記第２の電極は、該ディスプレイの正の電極とされ、前記第１の電極は、該ディスプレイの負の電極とされ、
前記第１の電極、第２の電極、及び上記フォトルミネセント材料は、前記第１の電極が前記第２の電極に対して正とされているときに、前記電極間の導電性がより大きくなるように選ばれていることを特徴とするオプトエレクトロニックディスプレイ。